(57)【要約】  本発明は、街路照明ポールベース（１０）に関し、街路照明ポールベース（１０）は、第１のベイ（２０ａ）に配置されるサブディバイダ（３８）であって、個別エアインレット（２８）からのエアフロー（４６）を、第１の位置（３６ａ）に取り付けられた場合の無線通信に使用される第１の放熱デバイス（３４ａ）を主に冷却することが意図されているが、第２の位置（３６ｂ）に取り付けられた場合の無線通信に使用される第２の放熱デバイス（３４ｂ）を実質的に冷却することは意図されていない第１のサブエアフロー（４８ａ）と、無線通信に使用される第２の放熱デバイスを主に冷却することが意図されているが、無線通信に使用される第１の放熱デバイスを実質的に冷却することは意図されていない第２のサブエアフロー（４８ａ）とに分流するように構成されるサブディバイダを含む。また、本発明は、このようなベースを含む街路照明ポール（１００）、及びこのようなベース又はポールに取り付けられる無線通信に使用される第１及び第２の放熱デバイスを冷却する方法に関する。
2021522669.tif 000002
【特許請求の範囲】
【請求項１】
街路照明ポールベースであって、
当該街路照明ポールベースの囲まれた空間を画定する少なくとも１つの直立外壁と、
横並びに配置される少なくとも２つのベイに前記囲まれた空間を分割するディバイダであって、前記少なくとも２つのベイは、第１のベイ及び第２のベイを含む、ディバイダと、
前記ディバイダの下部に設けられる前記第１のベイのための個別エアインレットと、
無線通信に使用される第１の放熱デバイスを前記第１のベイにおける第１の位置に取り付けるための第１の取り付け手段と、
無線通信に使用される第２の放熱デバイスを前記第１のベイにおける第２の位置に取り付けるための第２の取り付け手段であって、前記第２の位置は、前記第１の位置よりも垂直方向に高い、第２の取り付け手段と、
前記第１のベイに配置されるサブディバイダであって、前記第１のベイのための前記個別エアインレットからのエアフローを、第１のサブベイ内への第１のサブエアフローであって、前記第１のサブベイにおける前記第１の位置に取り付けられた場合の前記無線通信に使用される第１の放熱デバイスを主に冷却することが意図されているが、前記第２の位置に取り付けられた場合の前記無線通信に使用される第２の放熱デバイスを実質的に冷却することは意図されていない、第１のサブエアフローと、第２のサブベイ内への第２のサブエアフローであって、前記第２のサブベイにおける前記第２の位置に取り付けられた場合の前記無線通信に使用される第２の放熱デバイスを主に冷却することが意図されているが、前記第１の位置に取り付けられた場合の前記無線通信に使用される第１の放熱デバイスを実質的に冷却することは意図されていない、第２のサブエアフローとに分流するように構成されるサブディバイダと、
を含む、街路照明ポールベース。
【請求項２】
前記第１のサブベイ及び前記第２のサブベイは、横並びに配置される、請求項１に記載の街路照明ポールベース。
【請求項３】
前記サブディバイダは、実質的に垂直な内壁を含み、動作時の前記第１のサブエアフロー及び前記第２のサブエアフローは、前記実質的に垂直な内壁の相対する側に流れる、請求項１又は２に記載の街路照明ポールベース。
【請求項４】
前記ディバイダは、Ｈ字形であり、ステムがクロスバーによって接続されることにより形成される、請求項１乃至３のいずれか一項に記載の街路照明ポールベース。
【請求項５】
前記サブディバイダが、前記Ｈ字形のディバイダの前記ステム間に延在し、前記ステムに接続する、請求項４に記載の街路照明ポールベース。
【請求項６】
前記第１の位置に取り付けられた場合の第１の通信無線機が、前記第１のサブベイに配置され、前記第２の位置に取り付けられた場合の第２の通信無線機が、前記第２のサブベイに配置される、請求項２に記載の街路照明ポールベース。
【請求項７】
前記第１の位置に取り付けられた場合の前記無線通信に使用される第１の放熱デバイスは、前記第１のサブベイに配置され、前記第２の位置に取り付けられた場合の前記無線通信に使用される第２の放熱デバイスは、前記サブディバイダの上部に配置され、前記第２のサブベイの上方に配置される冷却手段を有する、請求項２に記載の街路照明ポールベース。
【請求項８】
前記無線通信に使用される第１の放熱デバイスは、前記第１の位置に取り付けられ、前記無線通信に使用される第２の放熱デバイスは、前記第２の位置に取り付けられ、前記無線通信に使用される第２の放熱デバイスは、前記無線通信に使用される第１の放熱デバイスの上部に配置され、前記無線通信に使用される第１の放熱デバイスは、前記第１のサブベイに面する冷却手段を有し、前記無線通信に使用される第２の放熱デバイスは、前記第２のサブベイに面する冷却手段を有し、前記無線通信に使用される第１の放熱デバイス及び前記無線通信に使用される第２の放熱デバイスは、前記サブディバイダの一部を形成する、請求項２に記載の街路照明ポールベース。
【請求項９】
前記無線通信に使用される第１の放熱デバイスは、前記第１の位置に取り付けられ、前記無線通信に使用される第１の放熱デバイスは、前記サブディバイダの下側部分を形成し、前記サブディバイダは、前記無線通信に使用される第２の放熱デバイスのための前記第２の位置を通り過ぎるように前記第１のサブエアフローを案内するように構成される上側部分を含む、請求項１乃至８のいずれか一項に記載の街路照明ポールベース。
【請求項１０】
前記第２のサブベイは、前記サブディバイダによって少なくとも部分的に形成されるダクトを含み、前記ダクトは、前記無線通信に使用される第１の放熱デバイスのための前記第１の位置を通り過ぎるように前記無線通信に使用される第２の放熱デバイスのための前記第２の位置に前記第２のサブエアフローを案内するように構成される、請求項２に記載の街路照明ポールベース。
【請求項１１】
前記ダクトは、前記無線通信に使用される第１の放熱デバイスのための前記第１の位置と同じ高さに狭い断面を有し、前記第１のベイのための前記個別エアインレット及び前記第１のベイのための個別エアアウトレットのうちの少なくとも１つに向かって広い断面を有する、請求項１０に記載の街路照明ポールベース。
【請求項１２】
当該街路照明ポールベースは、前記第１のサブエアフロー及び前記第２のサブエアフローのうちの少なくとも１つを調節するように構成される少なくとも１つの可動部を含む、請求項１乃至１１のいずれか一項に記載の街路照明ポールベース。
【請求項１３】
当該街路照明ポールベースは、前記個別エアインレットの上方に前記少なくとも１つの直立外壁に設けられる追加のエアインレットであって、前記無線通信に使用される第２の放熱デバイスのための前記第２の位置に追加の空気を供給するように構成される、追加のエアインレットを含む、請求項１乃至１２のいずれか一項に記載の街路照明ポールベース。
【請求項１４】
請求項１乃至１３のいずれか一項に記載の街路照明ポールベースと、
前記街路照明ポールベースに機械的に接続される中間ポールと、
前記無線通信に使用される第１の放熱デバイス及び前記無線通信に使用される第２の放熱デバイスに電気的に接続可能である又は接続されるアンテナと、
光を発するように構成される照明器具と、
を含む、街路照明ポール。
【請求項１５】
請求項１乃至１３のいずれか一項に記載の街路照明ポールベース又は請求項１４に記載の街路照明ポールの街路照明ポールベースに取り付けられる無線通信に使用される第１及び第２の放熱デバイスを冷却する方法であって、
サブディバイダによって、第１のベイのための個別エアインレットからのエアフローを、第１のサブベイ内への第１のサブエアフローであって、前記第１のサブベイに取り付けられ、無線通信に使用される前記第１の放熱デバイスを主に冷却し、前記無線通信に使用される第２の放熱デバイスを実質的に冷却しない、第１のサブエアフローと、第２のサブベイ内への第２のサブエアフローであって、前記第２のサブベイに取り付けられ、無線通信に使用される前記第２の放熱デバイスを主に冷却し、前記無線通信に使用される第１の放熱デバイスを実質的に冷却しない、第２のサブエアフローとに分流することを含む、方法。
【発明の詳細な説明】
【技術分野】
【０００１】
本発明は、街路照明ポールベース(street lighting pole base)に関する。また、本発明は、このようなベースを含む街路照明ポールに関する。また、本発明は、このようなベース又はポールに取り付けられる無線通信に使用される第１及び第２の放熱デバイスを冷却する方法に関する。
【背景技術】
【０００２】
最近の街路照明ポールは、街路照明ポールも無線通信機能を得るように、電気通信機器（無線機(radio)、アンテナ、ケーブル）を含むように修正されている。機器は、公衆の視界からそれを目立たなくすることを目的として、ライトポール(light pole)の外面内に組み込まれる。これは、テレコムスマートポール(telecom smart pole)と呼ばれることがある。
【０００３】
しかしながら、モバイルデータ伝送の必要性は非常に急速に高まっており、単一の通信無線機及びアンテナの容量には限界があるため、無線スペクトルの異なる部分で通信するより多くの無線機を追加する必要性がある。その結果、スマートポールベースにより多くの無線機を含めることも必要であり、その結果、ベースのエンクロージャへの熱負荷が増大する。
【０００４】
スマートポールの外径には、通行権において市の受け入れを得るための厳しい制約があるため、無線機を互いに垂直に位置付けることが唯一の可能性であるが、これは、低い位置にある無線機からの熱風で冷却されるため、最も上の位置にある無線機が過熱又は熱故障の可能性が高くなるという不利な点がある。熱問題を緩和するための一般的な解決策は、最も熱負荷の高い装置を上の位置に置くことである。これは改善策であるとしても、下の無線機が上の無線機を暖めるという問題は解決されていない。
【０００５】
ＵＳ６４００５６７Ｂ１は、別々の冷却気流によって冷却される別々のコンパートメントを有する機器エンクロージャを開示している。
【発明の概要】
【発明が解決しようとする課題】
【０００６】
本発明の目的は、前述の問題点を克服し、改良された街路照明ポールベースを提供することにある。
【課題を解決するための手段】
【０００７】
本発明の第１の態様によれば、この及び他の目的は、街路照明ポールベースの囲まれた空間(enclosed space)を画定する少なくとも１つの直立外壁と、横並びに(side by side)配置される少なくとも２つのベイに囲まれた空間を分割するディバイダであって、少なくとも２つのベイは、第１のベイ及び第２のベイを含む、ディバイダと、ディバイダの下部に設けられる第１のベイのための個別エアインレット(individual air inlet)と、無線通信に使用される第１の放熱デバイスを第１のベイにおける第１の位置に取り付けるための第１の取り付け手段と、無線通信に使用される第２の放熱デバイスを第１のベイにおける第２の位置に取り付けるための第２の取り付け手段であって、第２の位置は、第１の位置よりも垂直方向に高い、第２の取り付け手段と、第１のベイに配置されるサブディバイダ(sub-divider)であって、第１のベイのための個別エアインレットからのエアフローを、第１のサブベイ内への第１のサブエアフローであって、第１のサブベイにおける第１の位置に取り付けられた場合の無線通信に使用される第１の放熱デバイスを（主に）冷却することが意図されているが、第２の位置に取り付けられた場合の無線通信に使用される第２の放熱デバイスを（実質的に）冷却することは意図されていない、第１のサブエアフローと、第２のサブベイ内への第２のサブエアフローであって、第２のサブベイにおける第２の位置に取り付けられた場合の無線通信に使用される第２の放熱デバイスを（主に）冷却することが意図されているが、第１の位置に取り付けられた場合の無線通信に使用される第１の放熱デバイスを（実質的に）冷却することは意図されていない、第２のサブエアフローとに分流するように構成されるサブディバイダとを含む、街路照明ポールベースによって達成される。
【０００８】
少なくとも１つの直立外壁は、例えば、筒状又は管状の壁、又はボックスを形成する複数の壁であってもよい。第１及び第２の取り付け手段は、例えば、ホールパターン(hole pattern)及び／又はブラケットであってもよい。無線通信に使用される第１及び第２の放熱デバイスは、例えば、第１及び第２の通信無線機(telecommunication radio)又は第１及び第２の基地局であってもよい。第１及び第２の放熱デバイスは、それぞれ第１及び第２の位置に取り付けられてもよく、それゆえ、街路照明ポールベースに含まれているとみなされてもよい。「主に冷却する(mainly cool)」は、当該サブエアフローの少なくとも８０％（好ましくは少なくとも９０％）が当該放熱デバイスを冷却するために利用可能であることを意味することができ、好ましくはそう意味する。「実質的に（冷却）しない(substantially not)」は、２０％を超えない（好ましくは１０％を超えない）当該サブエアフローが他の放熱デバイスを冷却するために利用可能であることを意味することができ、好ましくはそう意味する。
【０００９】
本発明は、上述の個別エアインレット及びサブディバイダを設けることにより、上部放熱デバイスが下部放熱デバイスからの熱風で「冷却」されることをサブディバイダが防止し得るので、街路照明ポールベースを過度に広くすることなく、依然として十分な冷却を提供しながら、無線通信に使用される複数の放熱デバイスが（主）ディバイダの両側に配置されることができるという理解に基づいている。すなわち、第１の放熱デバイス及び第２の放熱デバイスのための空気のエントリ温度(entry temperature)は本質的に同じであり得、これは、両方の放熱デバイスが同じ容量で冷却され得ることを意味する。本発明の街路照明ポールベースはまた、第２のベイのための同様の個別エアインレット及びサブディバイダを有してもよく、これにより、無線通信に使用される少なくとも４つの放熱デバイスが、街路照明ポールベースに設けられてもよい。
【００１０】
サブディバイダは、第１のベイの少なくとも一部を、第１のサブエアフローのための第１のサブベイと、第２のサブエアフローのための第２のサブベイとに分割し、第１のサブベイ及び第２のサブベイは、横並びに配置されてもよい。第１のサブエアフロー及び第２のサブエアフローは分離されることができる。第１及び第２のサブエアフローは、一方のサブベイの２０％を超えないサブエアフローが他方のサブベイに入ることができない場合、分離されていると考えられ、第１及び第２の放熱デバイスの効率的な個別冷却を提供することができる。好ましくは、例えば第１のサブベイの１０％を超えないサブエアフローが第２のサブベイに入ることができず、その逆でもあり得る。
【００１１】
サブディバイダは、（実質的に）垂直な内壁を含み、動作時の第１のサブエアフロー及び第２のサブエアフローは、実質的に垂直な内壁の相対する側に流れる。すなわち、前述の第１及び第２のサブベイは、実質的に垂直な内壁の相対する側にあってもよい。
【００１２】
ディバイダは、Ｈ字形であって、ステムがクロスバーによって接続されることにより形成されてもよく、サブディバイダは、Ｈ字形ディバイダのステム間に延在し、ステムに接続してもよい。
【００１３】
一実施形態では、第１の位置に取り付けられた場合の無線通信に使用される第１の放熱デバイスは、第１のサブベイに配置され、第２の位置に取り付けられた場合の無線通信に使用される第２の放熱デバイスは、第２のサブベイに配置される。この実施形態では、第１及び第２の放熱デバイスが、第１の放熱デバイスが第１のサブエアフローにのみ曝され、第２の放熱デバイスが第２のサブエアフローにのみ曝されるように完全に分離され、ひいては、改善された冷却を提供することができる。
【００１４】
別の実施形態では、第１の位置に取り付けられた場合の無線通信に使用される第１の放熱デバイスは、第１のサブベイに配置され、第２の位置に取り付けられた場合の無線通信に使用される第２の放熱デバイスは、サブディバイダの上部に配置され、第２のサブベイの上方に配置される冷却手段を有する。冷却手段は、例えば、第２の放熱デバイスの側部に設けられる冷却フィンであってもよい。この実施形態では、第１及び第２の放熱デバイスが、依然として十分な冷却を提供しながら、ほとんど又はまったく横方向の隔たり(separation)を持たずに取り付けられることができ、これは、より狭い「スマート」街路照明ポールベースを提供する。
【００１５】
さらに別の実施形態では、無線通信に使用される第１の放熱デバイスは、第１の位置に取り付けられ、無線通信に使用される第２の放熱デバイスは、第２の位置に取り付けられ、無線通信に使用される第２の放熱デバイスは、無線通信に使用される第１の放熱デバイスの上部に配置され、無線通信に使用される第１の放熱デバイスは、第１のサブベイに面する冷却手段を有し、無線通信に使用される第２の放熱デバイスは、第２のサブベイに面する冷却手段を有し、無線通信に使用される第１の放熱デバイス及び無線通信に使用される第２の放熱デバイスは、サブディバイダの一部を形成する。したがって、第１及び第２の放熱デバイスの冷却手段は、ここでは反対方向を向いてもよい。この実施形態では、第２の放熱デバイスが第１の放熱デバイスの上部に配置される（横方向の隔たりが無い）ものの十分な冷却が達成され、狭い「スマート」街路照明ポールベースを提供することができる。
【００１６】
さらなる実施形態では、無線通信に使用される第１の放熱デバイスは、第１の位置に取り付けられ、無線通信に使用される第１の放熱デバイスは、サブディバイダの下側部分を形成し、サブディバイダはさらに、無線通信に使用される第２の放熱デバイスのための第２の位置を通り過ぎるように(past)第１のサブエアフローを案内するように構成される上側部分を含む。このようにして、サブディバイダの上部部分は、第１の放熱デバイスからの熱い空気を捕捉するのに役立ち、これを第２の放熱デバイスを通り過ぎるように案内することができる。
【００１７】
第２のサブベイは、サブディバイダによって少なくとも部分的に形成されるダクトを含み、ダクトは、無線通信に使用される第１の放熱デバイスのための第１の位置を通り過ぎ(past)無線通信に使用される第２の放熱デバイスのための第２の位置に第２のサブエアフローを案内するように構成されてもよい。したがって、サブディバイダは、第２のサブエアフローが第１の下側放熱デバイスによって（実質的に）加熱されず、代わりに効率的に第２の上側放熱デバイスを冷却することができるように、第２のサブエアフローを第１の放熱デバイスを通り過ぎるように明示的に導くのに役立つことができる。
【００１８】
ダクトは、無線通信に使用される第１の放熱デバイスのための第１の位置と同じ高さに狭い断面を有し、第１のベイのための個別エアインレット及び第１のベイのための個別エアアウトレットのうちの少なくとも１つに向かって広い断面を有してもよい。これにより、第２のサブエアフローがダクトの比較的狭い部分において第１の下側放熱デバイスの脇を通過することを可能にする一方、より良好なエアインレット及び／又はエアアウトレットを可能にする。前者は、街路照明ポールベースの全体的な幅又は直径を小さく保つことができることを意味する。
【００１９】
街路照明ポールベースさらには、第１のサブエアフロー及び第２のサブエアフローのうちの少なくとも１つを調節するように構成される少なくとも１つの可動部を含んでもよい。少なくとも１つの可動部は、例えば、少なくとも１つのバルブであり得る。少なくとも１つの可動部によって、より多くの空気が、例えば、より集中的な使用のために過熱している場合第１の放熱デバイスに向けられることができる。少なくとも１つの可動部は、例えば、第１及び第２の放熱デバイスと一体化されてもよい、１つ以上のサーモスタットによって制御されることができる。
【００２０】
街路照明ポールベースはさらに、街路照明ポールベースの上部に設けられる少なくとも２つのベイのための共通エアアウトレットを含んでもよい。ベースの上部における共通エアアウトレットは、ベース内の放熱デバイスによって加熱された十分な空気が排気されることを可能にし得る。実際には、無線通信に使用される放熱デバイスが多くなるほど、ハイマウント(high-mounted)アンテナに至るＲＦケーブルが多くなることを意味する。これらのケーブルは、ＷＯ２０１８１１４４９５Ａ１の「第２の通気口３１」等、より高い排気へのエアフローを遮断する可能性がある。さらに、街路照明ポールベースは、第１のサブフローのための（追加の）エアアウトレットを含み、該エアアウトレットは、無線通信に使用される第２の放熱デバイスのための位置の下方に少なくとも１つの直立外壁にあってもよい。これは、動作時の第１の下側放熱デバイスによって暖められた第１のサブフローが第２の上側放熱デバイスに到達することを（さらに）防止し得る。
【００２１】
街路照明ポールベースはさらに、個別エアインレットの上方に少なくとも１つの直立外壁に設けられる追加のエアインレットであって、無線通信に使用される第２の放熱デバイスのための第２の位置に追加の空気を供給するように構成される、追加のエアインレットを含んでもよい。これは、第２の上側放熱デバイスの冷却を高めることができる。
【００２２】
本発明の第２の態様によれば、第１の態様による街路照明ポールベースと、街路照明ポールベースに機械的に接続される中間ポールと、無線通信に使用される第１の放熱デバイス及び無線通信に使用される第２の放熱デバイスに電気的に接続可能である又は接続されるアンテナと、光を発するように構成される照明器具とを含む、街路照明ポールが提供される。この態様は、第１の態様と同じ又は同様の特徴及び技術的効果を呈することができ、その逆でもある。
【００２３】
本発明の第３の態様によれば、第１の態様による街路照明ポールベース又は第２の態様による街路照明ポールの街路照明ポールベースに取り付けられる無線通信に使用される第１及び第２の放熱デバイスを冷却する方法であって、サブディバイダによって、第１のベイのための個別エアインレットからのエアフローを、第１のサブベイ内への第１のサブエアフローであって、第１のサブベイに取り付けられ、無線通信に使用される第１の放熱デバイスを主に冷却し、無線通信に使用される第２の放熱デバイスを実質的に冷却しない、第１のサブエアフローと、第２のサブベイ内への第２のサブエアフローであって、第２のサブベイに取り付けられ、無線通信に使用される第２の放熱デバイスを主に冷却し、無線通信に使用される第１の放熱デバイスを実質的に冷却しない、第２のサブエアフローとに分流することを含む、方法が提供される。この態様は、第１及び／又は第２の態様と同じ又は同様の特徴及び技術的効果を呈することができ、その逆でもある。
【００２４】
本発明は、特許請求の範囲に列挙されている特徴のすべての可能な組み合わせに関する。
【図面の簡単な説明】
【００２５】
本発明のこの及び他の態様が、本発明の実施形態を示す添付の図面を参照して、より詳細に述べられる。
【図１】図１ａ〜ｃは、本発明の一実施形態による街路照明ポールベースを概略的に示す。
【図２】図２ａ〜ｃは、本発明の別の実施形態による街路照明ポールベースを概略的に示す。
【図３】図３ａ〜ｃは、図２ａ〜ｃの街路照明ポールベースの変形例を概略的に示す。
【図４】図４ａ〜ｃは、本発明のさらに別の実施形態による街路照明ポールベースを概略的に示す。
【図５】図５ａ〜ｃは、図４ａ〜ｃの街路照明ポールベースの変形例を概略的に示す。
【図６】図６は、本発明のさらなる実施形態による街路照明ポールベースの概略断面側面図である。
【図７】図７は、本発明の一態様による街路照明ポールの側面図である。
【発明を実施するための形態】
【００２６】
図に示されているように、レイヤ及び領域のサイズは、例示の目的で誇張されている場合があり、斯くして、本発明の実施形態の一般的な構造を例示するために提供されている。同様の参照数字は、全体を通して同様の要素を指す。
【００２７】
本発明は、本発明の現在好ましい実施形態が示されている添付図面を参照して、以下にさらに完全に述べられる。しかしながら、本発明は、多くの異なる形態で実施されてもよく、本明細書で述べられている実施形態に限定されると解釈されるべきではない。むしろ、これらの実施形態は、徹底性及び完全性のために提供されており、本開示の範囲を当業者に完全に伝える。本発明は、典形的には、図面に示されているように、その通常の向きを参照して述べられる。
【００２８】
図１ａ〜ｃは、本発明の一実施形態による街路照明ポールベース１０を概略的に示す。図１ａは斜視図、図１ｂは断面側面図、図１ｃは断面上面図である。
【００２９】
街路照明ポールベース１０は、囲まれた空間１４を画定する少なくとも１つの直立外壁１２含む。少なくとも１つの直立外壁は、ここでは筒状又は管状の壁１２である。筒状又は管状の壁１２は、街路照明ポールベース１０の長さ軸１６に沿って軸方向に延在する。筒状又は管状の壁１２は、正円状の開放筒(right circular open cylinder)であってもよい。図１ａでは、簡潔さのために筒状又は管状の壁１２は示されていない。
【００３０】
街路照明ポールベース１０はさらに、囲まれた空間１４を２つのベイ、すなわち、横並びに配置される、第１のベイ２０ａ及び第２のベイ２０ｂに分割するディバイダ１８を含む。ディバイダ１８は、軸方向に延在し、実質的に垂直に配置されてもよい。ディバイダ１８は、好ましくはＨ字形であり、ステム２２ａ〜ｂがクロスバー２３によって接続されることによって形成される。ステム２２ａ〜ｂの端部は、ディバイダ１８を取り囲む筒状又は管状の壁１２に接触し、これによって、囲まれた空間１４を２つのベイ２０ａ〜ｂに本質的に分割する。ディバイダ１８は、好ましくは、第１のベイ２０ａから第２のベイ２０ｂへの空気の通過を遮断し、またその逆でもある。
【００３１】
筒状又は管状の壁１２は、第１及び第２のベイ２０ａ〜ｂの各々に１つの、２つのドア（図７参照）を含んでもよい。
【００３２】
ここで、ディバイダ１８は、街路照明ポールベース１０の長さの一部に沿って軸方向に延在する。ディバイダ１８の下方、街路照明ポールベース１０の下部において、街路照明ポールベース１０は、２つのベイ２０ａ〜ｂのための共通エアインレット２４を含んでもよい。すなわち、共通エアインレット２４は、街路照明ポールベース１０の外部から両ベイ２０ａ〜ｂに（冷却）空気を供給することができる。図７にさらに見られるように、共通エアインレット２４は、筒状又は管状の壁１２に開口部を含み、該開口部は、筒状又は管状の壁１２の周の少なくとも一部に沿って延在する。共通エアインレット２４の開口部は、例えば、環状であってもよい。共通エアインレット２４の開口部は、虫や鳥の侵入を防ぐと同時に、十分な空気の通過を可能にするために、メッシュ状の構造を備えてもよい。ディバイダ１８の上方、街路照明ポールベース１０の上部において、街路照明ポールベース１０は、２つのベイ２０ａ〜ｂのための共通エアアウトレット２６を含んでもよい。すなわち、共通エアアウトレット２６は、両ベイ２０ａ〜ｂからの（加熱された冷却）空気を街路照明ポールベース１０の外部に逃がすことを可能にし得る。図７にさらに見られるように、共通エアアウトレット２６は、筒状又は管状の壁１２に開口部を含み、該開口部は、筒状又は管状の壁１２の周の少なくとも一部に沿って延在する。共通エアアウトレット２６の開口部は、例えば、環状であってもよい。共通エアアウトレット２６の開口部は、虫や鳥の侵入を防ぐと同時に、十分な空気の通過を可能にするために、メッシュ状の構造を備えてもよい。
【００３３】
街路照明ポールベース１０はさらに、第１のベイ２０ａのための個別エアインレット２８を含み、個別エアインレット２８は、ディバイダ１８の下部に設けられる。個別エアインレット２８は、筒状又は管状の壁１２及びディバイダ１８によって形成される。個別エアインレット２８は、共通エアインレット２４と流体的に連通しており、共通エアインレット２４からの（冷却）空気が第１のベイ２０ａに排他的に供給されることを可能にする。少なくとも１つのファン２９が、空気を第１のベイ２０ａに強制するために、個別エアインレット２８に配置されてもよい。
【００３４】
街路照明ポールベース１０はさらに、第１のベイ２０ａのための個別エアアウトレット３０を含み、個別エアアウトレット３０は、筒状又は管状の壁１２及びディバイダ１８によって形成され、ディバイダ１８の上部に設けられる。個別エアアウトレット３０は、共通エアアウトレット２６と流体的に連通している。街路照明ポールベース１０はさらに、第２のベイ２０ｂのための対応する個別エアインレット及び個別エアアウトレットを含んでもよい。
【００３５】
街路照明ポールベース１０はさらに、無線通信に使用される第１の放熱デバイス、ここでは第１の通信無線機３４ａを第１のベイ２０ａにおける第１の位置３６ａに取り付けるための第１の取り付け手段３２ａを含む。街路照明ポールベース１０はさらに、無線通信に使用される第２の放熱デバイス、ここでは第２の通信無線機３４ｂを第１のベイ２０ａにおける第２の位置３６ｂに取り付けるための第２の取り付け手段３２ｂを含む。第２の位置３６ｂは、第１の位置３６ａよりも垂直方向に高く、ゆえに、第２の通信無線機３４ｂは、第１の通信無線機３４ａよりも高くに取り付けられてもよい。すなわち、第１の通信無線機３４ａ及び第２の通信無線機３４ｂは、前述の軸方向における異なる位置を有してもよい。第１及び第２の取り付け手段３２ａ〜ｂは、例えば、ホールパターン(hole pattern)及び／又はブラケットであってもよい。第１及び第２の通信無線機３４ａ〜ｂは、一般に、無線周波数信号を生成し、受信する。第１及び第２の通信無線機３４ａ〜ｂは、例えばエリクソン社製の無線機２２０３、２２０５、又は２２０８であってもよい。第１及び第２の通信無線機３４ａ〜ｂが異なる熱負荷を有する場合、好ましくは、熱負荷が最も大きい方の無線機が他の無線機よりも垂直方向に高い位置に取り付けられる。また、前述の少なくとも１つのファン２９の全体的な速度は、第１及び第２の通信無線機３４ａ〜ｂの動作温度及び／又は街路照明ポールベース１０の外の温度に応じて変化してもよい。さらに、街路照明ポールベース１０に取り付けられた場合の第１及び第２の通信無線機３４ａ〜ｂは、筒状又は管状の壁１２によって街路照明ポールベース１０内に隠されてもよい。
【００３６】
街路照明ポールベース１０はさらに、第１のベイ２０ａに配置されるサブディバイダ３８を含み、第１のベイ２０ａは、効果的に冷却のための煙突である。サブディバイダ３８は、例えば、スチール、アルミニウム、又はプラスチックで作られてもよい。サブディバイダ３８は、第１のベイ２０ａの少なくとも一部を、横並びに配置される第１のサブベイ４０ａ及び第２のサブベイ４０ｂに分割する。サブディバイダ３８は、好ましくは、ディバイダ１８のステム２２ａ及び２２ｂ間に延在し、ステム２２ａ及び２２ｂに接続し、ディバイダ１８のクロスバー２３と（一般的に）平行であってもよい。サブディバイダ３８は、（実質的に）垂直な内壁４２を含んでもよい。サブディバイダ３８の下端は、三角プリズム形状の要素４４を含んでもよい。第２のサブベイ４０ｂは、ここではディバイダ１８と共にサブディバイダ３８によって形成される、ダクトを含んでもよい。代替的に、ダクトは、別個の部分（図示せず）と共にサブディバイダ３８によって形成されてもよい。サブディバイダ３８の垂直内壁４２及び三角プリズム形状の要素４４は、ダクトが、例えば図１ｂに図示されるような、第１の通信無線機３４ａ（のための第１の位置３６ａ）と同じ高さに狭い断面、及び、個別エアインレット２８に向かって広い断面を有するように配置されてもよい。
【００３７】
図１ａ〜ｃにおいて、（第１の位置３６ａに取り付けられた場合の）第１の通信無線機３４ａが、第１のサブベイ４０ａに配置され、（第２の位置３６ｂに取り付けられた場合の）第２の通信無線機３４ｂが、第２のサブベイ４０ｂに配置されている。すなわち、第１及び第２の通信無線機３４ａ〜ｂは、サブディバイダ３８の前述の垂直内壁４２の相対する側に配置される。
【００３８】
サブディバイダ３８は、一般的に、個別エアインレット２８からのエアフロー４６を、第１の位置３６ａに取り付けられた場合の第１の通信無線機３４ａを主に冷却することが意図されているが、第２の位置３６ｂに取り付けられた場合の第２の通信無線機３４ｂを実質的に冷却することは意図されていない、第１のサブエアフロー４８ａと、第２の位置３６ｂに取り付けられた場合の第２の通信無線機３４ｂを主に冷却することが意図されているが、第１の位置３６ａに取り付けられた場合の第１の通信無線機３４ａを実質的に冷却することは意図されていない、第２のサブエアフロー４８ｂとに分流するように構成される。
【００３９】
動作時（図１ａ〜ｃ）、空気は、最初に共通エアインレット２４を通って街路照明ポールベース１０の外側から来て、その後個別エアインレット２８を通って第１のベイ２０ａに入り、（上向きの）エアフロー４６を形成する。エアフロー４６は、サブディバイダ３８によって第１及び第２のサブエアフロー４８ａ〜ｂに分流される。第１のサブエアフロー４８ａは、サブディバイダ３８の垂直内壁４２の一方の側で第１のサブベイ４０ａ内を上向きに流れ、第１のサブベイ４０ａ内の第１の通信無線機３４ａを冷却し、その後、個別エアアウトレット３０及び共通エアアウトレット２６を介して街路照明ポールベース１０を出る。サブディバイダ３８は、第１の通信無線機３４ａからの熱い空気を捕捉するのに役立ち、これを第２の通信無線機３４ｂを通り過ぎるように案内する。第２のサブエアフロー４８ｂは、サブディバイダ３８の垂直内壁４２の反対側で第２のサブベイ４０ｂ内を上方に流れ、第２のサブベイ４０ｂ内の第２の通信無線機３４ｂを冷却する前に前述のダクトによって第１の通信無線機３４ａを通り過ぎるように案内され、その後、個別エアアウトレット３０及び共通エアアウトレット２６を介して街路照明ポールベース１０を出る。
【００４０】
第２のベイ２０ｂは、第１のベイ２０ａと対応する構成、又は本明細書に開示される他の構成を含んでもよいことを理解されたい。
【００４１】
図２ａ〜ｃは、本発明の別の実施形態による街路照明ポールベース１０を概略的に示す。図２ａは斜視図、図２ｂは断面側面図、図２ｃは断面上面図である。
【００４２】
この実施形態は、図１ａ〜ｃの実施形態と同様であるが、第２のサブベイ４０ｂに配置される代わりに、（第２の位置３６ｂに取り付けられた場合の）第２の通信無線機３４ｂが、サブディバイダ３８の垂直内壁４２の上部に配置され、冷却手段５０ｂが第２のサブベイ４０ｂの上方に配置される。（第１の通信無線機３４ａが第１の位置３６ａに取り付けられた場合）第１の通信無線機３４ａの冷却手段５０ａは、上記と反対の方向を向いている。冷却手段５０ａ〜ｂは、例えば、それぞれの第１通信無線機３４ａ及び第２通信無線機３４ｂの側部に設けられる冷却フィンであってもよい。ここで、第２の通信無線機３４ｂは、（第２の通信無線機３４ｂが十分に幅広である場合）ディバイダ１８のステム２２ａ〜ｂに取り付けられてもよく、及び／又はサブディバイダ３８に取り付けられてもよい。さらに、第１及び第２の通信無線機３４ａ〜ｂは、ここでは、ディバイダ１８のクロスバー２３に垂直な方向に見られるように、ある程度の横方向の重なりを持って取り付けられてもよい。第２のベイ２０ｂは、第１のベイ２０ａと対応する構成、又は本明細書に開示される他の構成を含んでもよいことを理解されたい。
【００４３】
動作時（図２ａ〜ｃ）、空気は、最初に共通エアインレット２４を通って街路照明ポールベース１０の外側から来て、その後個別エアインレット２８を通って第１のベイ２０ａに入り、（上向きの）エアフロー４６を形成する。エアフロー４６は、サブディバイダ３８によって第１及び第２のサブエアフロー４８ａ〜ｂに分流される。第１のサブエアフロー４８ａは、サブディバイダ３８の垂直内壁４２の一方の側で第１のサブベイ４０ａ内を上向きに流れ、第１のサブベイ４０ａ内の第１の通信無線機３４ａを冷却し、その後、個別エアアウトレット３０及び共通エアアウトレット２６を介して街路照明ポールベース１０を出る。第２のサブエアフロー４８ｂは、サブディバイダ３８の垂直内壁４２の反対側で第２のサブベイ４０ｂ内を上方に流れ、第２のサブベイ４０ｂの上方の第２の通信無線機３４ｂの冷却手段５０ｂを冷却する前に前述のダクトによって第１の通信無線機３４ａを通り過ぎるように案内され、その後、個別エアアウトレット３０及び共通エアアウトレット２６を介して街路照明ポールベース１０を出る。
【００４４】
図３ａは、図２ａ〜ｃの実施形態の変形例を示し、第１及び第２の通信無線機３４ａ〜ｂが同じように向けられている。すなわち、冷却手段５０ａ〜ｂが同じ方向を向いている。ここで、第１の通信無線機３４ａは、ディバイダ１８に取り付けられる、又は取り付けられてもよく、第１の通信無線機３４ａ（のための第１の位置３６ａ）を通り過ぎるように第２のサブエアフロー４８ｂを案内するように構成される前述のダクトは、筒状又は管状の壁１２と共にサブディバイダ３８によって形成されてもよい。
【００４５】
図３ｂは、少なくとも１つのファン２９が、個別エアインレット２８ではなく個別エアアウトレット３０に配置される別の変形例を示している。この少なくとも１つのファン２９は、下からの空気に適応される。この配置は、他の実施形態又は変形例、例えば図１ａ〜ｃ及び図４ａ〜ｃに示されるものにも適用可能である。
【００４６】
図３ｃは、図３ｃの側面図に見られる半アワーグラス形状のような、第１の通信無線機３４ａを通り過ぎるように第２のサブエアフロー４８ｂを案内するように構成される前述のダクトが、第１の通信無線機３４ａと同じ高さに狭い断面、及び、個別エアインレット２８及び個別エアアウトレット３０に向かってより広い断面を有するように、サブディバイダ３８が曲げられている、さらに別の変形例を示している。このサブディバイダ３８は、例えば、（曲げられた）シートメタルで作られることができる。第１及び第２の通信無線機３４ａ〜ｂは、取り付けの容易さのために、ここでは同じように向けられているが、図２ｂのように反対方向に向けられてもよい。
【００４７】
図４ａ〜ｃは、本発明のさらに別の実施形態による街路照明ポールベース１０を概略的に示す。図４ａは斜視図、図４ｂは断面側面図、図４ｃは断面上面図である。
【００４８】
この実施形態では、第２の通信無線機３４ｂは、第１の通信無線機３４ａの上部にスタックされる（横方向の隔たりが無い）。さらに、第１の通信無線機３４ａは、第１のサブベイ４０ａに面する冷却手段５０ａを有し、第２の通信無線機３４ｂは、第２のサブベイ４０ｂに面する冷却手段５０ｂを有する。さらに、第１及び第２の通信無線機３４ａ〜ｂは、サブディバイダ３８の一部を形成する。サブディバイダ３８はさらに、ここでは、例えば図４ｃに示されるように、第１及び第２の通信無線機３４ａ〜ｂとディバイダ１８のそれぞれのステム２２ａ〜ｂとの間に配置されるサイド要素(side element)５２ａ〜ｂを含んでもよい。サイド要素５２ａ〜ｂは、前述の第１及び第２の取付手段３２ａ〜ｂとしても機能してもよい。第２のベイ２０ｂは、第１のベイ２０ａと対応する構成、又は本明細書に開示される他の構成を含んでもよいことを理解されたい。
【００４９】
動作時（図２ａ〜ｃ）、空気は、最初に共通エアインレット２４を通って街路照明ポールベース１０の外側から来て、その後個別エアインレット２８を通って第１のベイ２０ａに入り、（上向きの）エアフロー４６を形成する。エアフロー４６は、サブディバイダ３８（すなわち、第１の通信無線機３４ａ及びサイド要素５２ａ〜ｂ）によって第１及び第２のサブエアフロー４８ａ〜ｂに分流される。第１のサブエアフロー４８ａは、サブディバイダ３８の一方の側で第１のサブベイ４０ａ内を上向きに流れ、第１の通信無線機３４ａの冷却手段５０ａを冷却し、その後、個別エアアウトレット３０及び共通エアアウトレット２６を介して街路照明ポールベース１０を出る。第２のサブエアフロー４８ｂは、サブディバイダ３８の反対側で第２のサブベイ４０ｂ内を上方に流れ、第２の通信無線機３４ｂの冷却手段５０ｂを冷却する前に第１の通信無線機３４ａの「後側」（すなわち、冷却手段５０ａと反対の側）を通り過ぎるように案内され、その後、個別エアアウトレット３０及び共通エアアウトレット２６を介して街路照明ポールベース１０を出る。
【００５０】
図５ａは、図４ａ〜ｃの実施形態の変形例を示し、街路照明ポールベース１０は、第１のサブエアフロー４８ａ専用の追加のエアアウトレット５４を含む。追加のエアアウトレット５４は、第２の通信無線機３４ｂの下方で筒状又は管状の壁１２にある。追加のエアアウトレット５４は、他の実施形態又は変形例、例えば図２ａ〜ｃに示されるものにも適用可能である。
【００５１】
図５ｂは、図４ａ〜ｃの実施形態の変形例を示し、街路照明ポールベース１０は、個別エアインレット２８及び任意の共通エアインレット２４の上方で、筒状又は管状の壁１２に設けられる追加のエアインレット５６を含む。追加のエアインレット５６は、街路照明ポールベース１０の外部から第２の通信無線機３４ｂに排他的に追加の（冷却）空気を供給するように構成される。追加のエアアウトレット５６は、他の実施形態又は変形例、例えば図３ａ〜ｂに示されるものにも適用可能である。
【００５２】
図６は、本発明のさらなる実施形態による街路照明ポールベース１０を概略的に示す。この実施形態では、第１の通信無線機３４ａは、第１の位置３６ａに取り付けられ、サブディバイダ３８の下側部分を形成する。サブディバイダ３８はさらに、第２の通信無線機３６ａを通り過ぎるように第１のサブエアフロー４０ａを案内するように構成される上部部分５８を含む。上部部分５８は、図３ｃのサブディバイダ３８と同様に、曲げられてもよい。第２のベイ２０ｂは、第１のベイ２０ａと対応する構成、又は本明細書に開示される他の構成を含んでもよいことを理解されたい。
【００５３】
動作時（図６）、空気は、最初に共通エアインレット２４を通って街路照明ポールベース１０の外側から来て、その後個別エアインレット２８を通って第１のベイ２０ａに入り、（上向きの）エアフロー４６を形成する。エアフロー４６は、第１の通信無線機３４ａを含むサブディバイダ３８によって第１及び第２のサブエアフロー４８ａ〜ｂに分流される。第１のサブエアフロー４８ａは、第１のサブベイ４０ａ内を上向きに流れ、第１の通信無線機３４ａを冷却し、その後、個別エアアウトレット３０及び共通エアアウトレット２６を介して街路照明ポールベース１０を出る。サブディバイダ３８の上側部分５８は、第１の通信無線機３４ａからの熱い空気を捕捉するのに役立ち、これを第２の通信無線機３４ｂを通り過ぎるように案内する。第２のサブエアフロー４８ｂは、第２の通信無線機３４ｂを冷却する前に第１の通信無線機３４ａの「後側」を通り過ぎるように第２のサブベイ４０ｂ内を上方に流れ、その後、個別エアアウトレット３０及び共通エアアウトレット２６を介して街路照明ポールベース１０を出る。
【００５４】
図７は、本発明の一態様による街路照明ポール１００の側面図である。街路照明ポール１００は、街路照明ポールベース１０、中間ポール１０２、アンテナ１０４、及び光を発するように構成される照明器具１０６含むモジュール構造とみなされることができる。
【００５５】
街路照明ポールベース１０は、本明細書に開示される任意の実施形態又は変形例のものであってもよい。第１及び第２の通信無線機３４ａ〜ｂを除いて、サーキットブレーカー、配電、及びファイバ管理(fiber management)等の付帯設備がベース内に配置されてもよい。
【００５６】
中間ポール１０２は、街路照明ポールベース１０に機械的に接続される。中間ポール１０２は、種々のポールの高さを達成するために異なる長さで注文されることができる鋼製トランジションピース(steel transition piece)であってもよい。
【００５７】
アンテナ１０４は、中間ポール１０２を通るアンテナケーブル（図示せず）によって第１及び第２の通信無線機３４ａ〜ｂに電気的に接続される。アンテナ１０４は、管状のアンテナセクションに設けられてもよく、アンテナセクションは、その上方に取り付けられる部分の機械的負荷を担持することができる。
【００５８】
上記上方に取り付けられる部分は、照明器具１０６であってもよく、又は１つ以上の照明器具が取り付けられ得るスピゴット若しくはアーム（図示せず）であってもよい。
【００５９】
照明器具１０６は、好ましくは、ＬＥＤ（発光ダイオード）照明器具である。
【００６０】
当業者は、本発明が決して上記の好ましい実施形態に限定されるものではないことを認識する。それどころか、多くの修正及び変形が、添付の特許請求の範囲内で可能である。例えば、街路照明ポール１０は、第１及び第２のサブエアフロー４８ａ〜ｂのうちの少なくとも１つを調節するように構成される少なくとも１つの可動部（図示せず）を含んでもよい。
【００６１】
さらに、図面、本開示、及び添付の請求項の検討によって、開示される実施形態に対する変形形態が、当業者により理解されることができ、また、特許請求される発明を実施する際に実行されることができる。請求項では、単語「含む（comprising）」は、他の要素又はステップを排除するものではなく、不定冠詞「１つの（a）」又は「１つの（an）」は、複数を排除するものではない。特定の手段が、互いに異なる従属請求項内に列挙されているという単なる事実は、これらの手段の組み合わせが、有利に使用され得ないことを示すものではない。
【図１ａ】
2021522669.tif 000003
【図１ｂ】
2021522669.tif 000004
【図１ｃ】
2021522669.tif 000005
【図２ａ】
2021522669.tif 000006
【図２ｂ】
2021522669.tif 000007
【図２ｃ】
2021522669.tif 000008
【図３ａ】
2021522669.tif 000009
【図３ｂ】
2021522669.tif 000010
【図３ｃ】
2021522669.tif 000011
【図４ａ】
2021522669.tif 000012
【図４ｂ】
2021522669.tif 000013
【図４ｃ】
2021522669.tif 000014
【図５ａ】
2021522669.tif 000015
【図５ｂ】
2021522669.tif 000016
【図６】
2021522669.tif 000017
【図７】
2021522669.tif 000018
【国際調査報告】
2021522669.tif 000019
2021522669.tif 000020
2021522669.tif 000021